【手続補正書】
【提出日】平成17年11月22日(2005.11.22)
【手続補正１】
【補正対象書類名】明細書
【補正対象項目名】特許請求の範囲
【補正方法】変更
【補正の内容】
【特許請求の範囲】
【請求項１】  遊技者が所定の遊技を実行可能であり、所定の遊技の結果として特定結果が得られたときに遊技者にとって有利な特定遊技状態とする遊技機であって、
遊技演出に用いられる画像を表示する画像表示装置と、
圧縮データを含む画像データを格納する圧縮データ格納手段と、
前記圧縮データ格納手段に格納されている画像データを伸張するデータ伸張手段と、
前記データ伸張手段によって伸張された画像データに基づいて生成される画像を前記画像表示装置に表示させることによって画像表示処理を行う画像表示手段とを備え、
前記データ伸張手段は、
電力供給が開始したときに、あらかじめ定められている所定画像を生成するための画像データを事前に伸張する事前伸張処理を実行する事前伸張実行手段と、
前記事前伸張実行手段によって事前に伸張された画像データを所定の格納領域に格納するデータ格納手段と、
電力供給が開始したあとの所定条件が成立したときに、事前伸張処理を再度実行する事前伸張再実行手段とを含み、
前記画像表示手段は、前記データ格納手段によって所定の格納領域に格納された画像データを用いて画像表示処理を実行する
ことを特徴とする遊技機。
【請求項２】  所定の遊技として、各々が識別可能な複数種類の識別情報の可変表示が複数の可変表示領域にて行われ、前記識別情報の表示結果が特定表示結果となったときに遊技者にとって有利な特定遊技状態となる遊技機であり、
可変表示開始条件の成立により識別情報の可変表示が開始され、
前記可変表示開始条件が所定期間成立しない場合に可変表示装置にて所定のデモンストレーション表示を実行可能であり、
所定条件は、前記デモンストレーション表示が開始されたことによって成立する
請求項１記載の遊技機。
【請求項３】 所定条件は、遊技状態が特定遊技状態となったとき、または前記特定遊技状態を終了したときに成立する請求項１記載の遊技機。
【請求項４】 所定の遊技として、各々が識別可能な複数種類の識別情報の可変表示が複数の可変表示領域にて行われ、前記識別情報の表示結果が特定表示結果となったときに遊技者にとって有利な特定遊技状態となる遊技機であり、
可変表示開始条件の成立により識別情報の可変表示が開始され、
前記識別情報の可変表示回数を計数する可変表示回数計数手段を更に備え、
所定条件は、前記可変表示回数計数手段によって計数された所定回数目の可変表示が開始されるとき、または前記可変表示回数計数手段によって計数された所定回数目の可変表示が終了したときに成立する
請求項１記載の遊技機。
【手続補正２】
【補正対象書類名】明細書
【補正対象項目名】００１２
【補正方法】変更
【補正の内容】
【００１２】
【課題を解決するための手段】
本発明による遊技機は、遊技者が所定の遊技を実行可能であり、所定の遊技の結果として特定結果が得られたとき（例えば、左中右図柄が同一の図柄となったとき、第２種パチンコ遊技機において遊技機に設けられているいわゆる可変入賞球装置に流入した遊技球が所定の入賞領域に入賞したとき）に遊技者にとって有利な特定遊技状態（例えば大当り遊技状態）とする遊技機であって、遊技演出に用いられる画像を表示する画像表示装置（例えば可変表示装置６）と、圧縮データを含む画像データを格納する圧縮データ格納手段（例えばＣＧＲＯＭ８３）と、圧縮データ格納手段に格納されている画像データを伸張するデータ伸張手段（例えば動画圧縮・伸張部８９におけるステップＳ２１４を実行する部分）と、データ伸張手段によって伸張された画像データに基づいて生成される画像を画像表示装置に表示させることによって画像表示処理を行う画像表示手段（例えばＧＣＬ８１における図２４に示す動画再生処理を実行する部分）とを備え、データ伸張手段は、電力供給が開始したときに、あらかじめ定められている所定画像を生成するための画像データを事前に伸張する事前伸張処理（例えばステップＳ７０２に示す事前復号化処理）を実行する事前伸張実行手段と、事前伸張実行手段によって事前に伸張された画像データを所定の格納領域に格納するデータ格納手段と、電力供給が開始したあとの所定条件が成立したときに、事前伸張処理を再度実行する事前伸張再実行手段とを含み、画像表示手段は、データ格納手段によって所定の格納領域に格納された画像データを用いて画像表示処理を実行（例えばステップＳ２１３にて設定されたピクチャデータを用いて動画再生処理を行う）することを特徴とする。
【手続補正３】
【補正対象書類名】明細書
【補正対象項目名】００１３
【補正方法】削除
【補正の内容】
【手続補正４】
【補正対象書類名】明細書
【補正対象項目名】００１４
【補正方法】削除
【補正の内容】
【手続補正５】
【補正対象書類名】明細書
【補正対象項目名】００１５
【補正方法】変更
【補正の内容】
【００１５】
所定の遊技として、各々が識別可能な複数種類の識別情報の可変表示が複数の可変表示領域にて行われ、識別情報の表示結果が特定表示結果（例えば左中右図柄が同一の図柄）となったときに遊技者にとって有利な特定遊技状態（例えば大当り遊技状態）となる遊技機であり、可変表示開始条件（例えば、保留記憶がある状態で特別図柄の可変表示が終了したことにより成立する条件、保留記憶がない状態で始動入賞があったことにより成立する条件）の成立により識別情報の可変表示が開始され、可変表示開始条件が所定期間成立しない場合に可変表示装置にて所定のデモンストレーション表示を実行可能であり、所定条件が、デモンストレーション表示が開始されたことによって成立する構成とされていてもよい。
また、所定条件は、遊技状態が特定遊技状態となったとき、または特定遊技状態を終了したときに成立する構成とされていてもよい。
また、所定の遊技として、各々が識別可能な複数種類の識別情報の可変表示が複数の可変表示領域にて行われ、識別情報の表示結果が特定表示結果となったときに遊技者にとって有利な特定遊技状態となる遊技機であり、可変表示開始条件の成立により識別情報の可変表示が開始され、識別情報の可変表示回数を計数する可変表示回数計数手段を更に備え、所定条件は、可変表示回数計数手段によって計数された所定回数目の可変表示が開始されるとき、または可変表示回数計数手段によって計数された所定回数目の可変表示が終了したときに成立する構成とされていてもよい。
【手続補正６】
【補正対象書類名】明細書
【補正対象項目名】００１６
【補正方法】削除
【補正の内容】
【手続補正７】
【補正対象書類名】明細書
【補正対象項目名】００１７
【補正方法】削除
【補正の内容】
【手続補正８】
【補正対象書類名】明細書
【補正対象項目名】０１９０
【補正方法】変更
【補正の内容】
【０１９０】
【発明の効果】
以上のように、請求項１記載の発明では、遊技演出に用いられる画像を表示する画像表示装置と、圧縮データを含む画像データを格納する圧縮データ格納手段と、圧縮データ格納手段に格納されている画像データを伸張するデータ伸張手段と、データ伸張手段によって伸張された画像データに基づいて生成される画像を画像表示装置に表示させることによって画像表示処理を行う画像表示手段とを備え、データ伸張手段が、電力供給が開始したときに、あらかじめ定められている所定画像を生成するための画像データを事前に伸張する事前伸張処理を実行する事前伸張実行手段と、事前伸張実行手段によって事前に伸張された画像データを所定の格納領域に格納するデータ格納手段と、電力供給が開始したあとの所定条件が成立したときに、事前伸張処理を再度実行する事前伸張再実行手段とを含み、画像表示手段は、データ格納手段によって所定の格納領域に格納された画像データを用いて画像表示処理を実行することを特徴とするので、データ圧縮された動画像データを用いた表示演出のための制御負担を軽減することができ、複雑な演出制御を無理なく行うことができるようになる。また、電力供給が開始したときに事前に伸張した動画像データが壊れていても、自動的に復旧させることができる。
【手続補正９】
【補正対象書類名】明細書
【補正対象項目名】０１９１
【補正方法】削除
【補正の内容】
【手続補正１０】
【補正対象書類名】明細書
【補正対象項目名】０１９２
【補正方法】削除
【補正の内容】
【手続補正１１】
【補正対象書類名】明細書
【補正対象項目名】０１９３
【補正方法】変更
【補正の内容】
【０１９３】
請求項２記載の発明では、可変表示開始条件の成立により識別情報の可変表示が開始され、可変表示開始条件が所定期間成立しない場合に可変表示装置にて所定のデモンストレーション表示を実行可能であり、所定条件は、デモンストレーション表示が開始されたことによって成立する構成とされている場合には、異常な表示がなされたときなどの場合に、可変表示を所定期間開始させないようにするだけで、伸張済の動画像データを自動復旧させることができる。
【手続補正１２】
【補正対象書類名】明細書
【補正対象項目名】０１９４
【補正方法】削除
【補正の内容】
【手続補正１３】
【補正対象書類名】明細書
【補正対象項目名】０１９５
【補正方法】削除
【補正の内容】